(57)【要約】【課題】検出したトルク値が所定値に達したときに、振動表示及び音声表示によりユーザに知らせる振動レンチを提供する。【解決手段】振動レンチは、内部にチャンバ２００が設けられたレンチ本体１００と、レンチ本体１００のトルクを検出するトルク検出チップとトルク検出チップと電気的に接続されたマイクロプロセッサチップとマイクロプロセッサチップと電気的に接続されたアクチュエータ駆動チップとを有しチャンバ２００内に配置された回路と、アクチュエータ駆動チップにより制御されるアクチュエータと、アクチュエータにより駆動しチャンバ２００の内壁を叩くことによりレンチ本体１００を振動させ音を発生させる駆動部材と、を備える。マイクロプロセッサチップは、トルク検出チップによりトルク値が所定値に達したことを検出すると、アクチュエータ駆動チップを始動する。【選択図】図１
0003162291.tif 000002
【実用新案登録請求の範囲】
【請求項１】
内部にチャンバが設けられたレンチ本体と、
前記レンチ本体のトルクを検出するトルク検出チップと前記トルク検出チップと電気的に接続されたマイクロプロセッサチップと前記マイクロプロセッサチップと電気的に接続されたアクチュエータ駆動チップとを有し前記チャンバ内に配置された回路と、
前記アクチュエータ駆動チップにより制御されるアクチュエータと、
前記アクチュエータにより駆動し前記チャンバの内壁を叩くことにより前記レンチ本体を振動させ音を発生させる駆動部材と、を備え、
前記マイクロプロセッサチップは、前記トルク検出チップによりトルク値が所定値に達したことを検出すると、前記アクチュエータ駆動チップを始動することを特徴とする振動レンチ。
【考案の詳細な説明】
【技術分野】
【０００１】
本考案はレンチに関し、特に、振動レンチに関する。
【背景技術】
【０００２】
一般のトルクレンチは、警報装置などの電子制御装置などを利用し、アラーム音を発する。しかし、機械を修理する現場では、騒音が大きなことが一般的であり、アラーム音が聞こえないことがよくあった。
【０００３】
また、機械の修理にレンチを使用する際、作業員は安全のために厚い手袋を使用することが一般に求められる。これに鑑み、例えば、特許文献１では、触感表示の振動装置が取り付けられた電子トルクレンチ（Ｅｌｅｃｔｒｏｎｉｃ  Ｔｏｒｑｕｅ  Ｗｒｅｎｃｈ）が開示されている。
【先行技術文献】
【特許文献】
【０００４】
【特許文献１】台湾特許第２４８８５２号公報
【考案の概要】
【考案が解決しようとする課題】
【０００５】
本考案は上述の点に鑑みて為されたもので、その目的は、検出したトルク値が所定値に達したときに、振動表示及び音声表示によりユーザに知らせる振動レンチを提供することにある。
【課題を解決するための手段】
【０００６】
上記の課題を解決することのできる本考案の振動レンチは、内部にチャンバが設けられたレンチ本体と、前記レンチ本体のトルクを検出するトルク検出チップと前記トルク検出チップと電気的に接続されたマイクロプロセッサチップと前記マイクロプロセッサチップと電気的に接続されたアクチュエータ駆動チップとを有し前記チャンバ内に配置された回路と、前記アクチュエータ駆動チップにより制御されるアクチュエータと、前記アクチュエータにより駆動し前記チャンバの内壁を叩くことにより前記レンチ本体を振動させ音を発生させる駆動部材と、を備え、前記マイクロプロセッサチップは、前記トルク検出チップによりトルク値が所定値に達したことを検出すると、前記アクチュエータ駆動チップを始動することを特徴とする。
【考案の効果】
【０００７】
本考案の振動レンチは、検出したトルク値が所定値に達したときに、振動表示及び音声表示によりユーザに知らせることができる。
【図面の簡単な説明】
【０００８】
【図１】本考案の第１実施形態による振動レンチの構造を示す模式図である。
【図２】同上の振動レンチの回路を示す回路図である。
【図３Ａ】同上の振動レンチの振動機構を示す模式図である。
【図３Ｂ】同上の振動レンチの他の振動機構を示す模式図である。
【図３Ｃ】同上の振動レンチの他の振動機構を示す模式図である。
【図４】本考案の第２実施形態による振動レンチの構造を示す模式図である。
【図５】同上の振動レンチの回路を示す回路図である。
【図６】同上の振動レンチの振動機構を示す模式図である。
【考案を実施するための形態】
【０００９】
（第１実施形態）
図１に示すように、本考案の第１実施形態による振動レンチは、レンチ本体１００、回路３００、モータ（アクチュエータ）４００及び回転軸（振動部材）５００を含む。レンチ本体１００は、内部にチャンバ２００が設けられ、チャンバ２００内に回路３００が配置されている。図２に示すように、本考案の一実施形態による回路３００は、トルク検出チップ３１０、マイクロプロセッサチップ３２０及びモータ駆動チップ（アクチュエータ駆動チップ）３３０を含む。トルク検出チップ３１０は、レンチ本体１００のトルクを検出するために用いる。マイクロプロセッサチップ３２０は、トルク検出チップ３１０と電気的に接続されている。モータ駆動チップ３３０は、マイクロプロセッサチップ３２０と電気的に接続されている。このマイクロプロセッサチップ３２０は、トルク検出チップ３１０により、トルク値が所定値に達したことを検出すると、モータ駆動チップ３３０を始動する。モータ４００は、モータ駆動チップ３３０により制御される。モータ４００により駆動された回転軸５００がチャンバ２００の内壁に当たると、レンチ本体１００を振動させるとともに音を発生させる。
【００１０】
図３Ａに示すように、回転軸５００は、モータ４００により駆動されると、鋸歯形状に形成された一端によりチャンバ２００の内壁を引っ掻き、振動及び音を発生させる。
【００１１】
また、他の振動機構としては、図３Ｂに示すように、チャンバ２００の内壁に、バンプ部２１０を設けてもよい。回転軸５００は、端部にそれぞれ設けられた可撓体５１０及び突当てブロック５２０を有する。そのため、モータ４００により回転軸５００が回転されると、バンプ部２１０に突当てブロック５２０が当たり、振動及び音が発生する。可撓体５１０は、突当てブロック５２０がバンプ部２１０に当たる際に曲がり、突当てブロック５２０がバンプ部２１０に当たっていないときは、弾性回復力により復位する。そのため、回転軸５００は、モータ４００により回転し続けることができる。
【００１２】
また、他の振動機構としては、図３Ｃに示すように、チャンバ２００の内壁に、ブロック部２２０及び復帰スプリング２３０を設けてもよい。ブロック部２２０は、一方の端部がチャンバ２００に枢着され、他方の端部が回転軸５００に当たるように配置されている。復帰スプリング２３０は、ブロック部２２０とチャンバ２００との間に配置され、回転軸５００がブロック部２２０を叩くときに圧縮される。回転軸５００は、復帰スプリング２３０によりブロック部２２０が変移するためブロック部２２０を通過することができる。そのため、この回転軸５００は、モータ４００により回転し続けることができる。
【００１３】
（第２実施形態）
図４〜図６に示すように、本考案の第２実施形態による振動レンチは、レンチ本体１００、回路３００、電磁弁（アクチュエータ）６００及び突当てブロック（振動部材）７００を含む。レンチ本体１００は、内部にチャンバ２００が設けられ、チャンバ２００内に回路３００が配置されている。回路３００は、トルク検出チップ３１０、マイクロプロセッサチップ３２０及び電磁弁駆動チップ（アクチュエータ駆動チップ）３７０を含む（図５参照）。トルク検出チップ３１０は、レンチ本体１００のトルクを検出するために用いる。マイクロプロセッサチップ３２０は、トルク検出チップ３１０と電気的に接続されている。電磁弁駆動チップ３７０は、マイクロプロセッサチップ３２０と電気的に接続されている。このマイクロプロセッサチップ３２０は、トルク検出チップ３１０により検出したトルク値が所定値に達したときに、電磁弁駆動チップ３７０を始動する。電磁弁６００は、電磁弁駆動チップ３７０により制御される。電磁弁６００によりチャンバ２００の内壁を突当てブロック７００が往復すると（図６参照）、レンチ本体１００を振動させ、音を発生させる。
【００１４】
図５に示すように、振動レンチは、マイクロプロセッサチップ３２０と電気的にそれぞれ接続されたメモリ３４０、データアクセスインタフェース３５０及び表示パネル３６０をさらに含む。メモリ３４０は、前述の所定値を保存するために用いる。データアクセスインタフェース３５０は、所定値を再設定するために用いる。表示パネル３６０は、トルク検出チップ３１０により検出したトルク値を表示するために用いる。
【００１５】
当該技術分野の当業者が実施できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１００  レンチ本体
２００  チャンバ
２１０  バンプ部
２２０  ブロック部
２３０  復帰スプリング
３００  回路
３１０  トルク検出チップ
３２０  マイクロプロセッサチップ
３３０  モータ駆動チップ（アクチュエータ駆動チップ）
３４０  メモリ
３５０  データアクセスインタフェース
３６０  表示パネル
３７０  電磁弁駆動チップ（アクチュエータ駆動チップ）
４００  モータ（アクチュエータ）
５００  回転軸（振動部材）
５１０  可撓体
５２０  突当てブロック
６００  電磁弁（アクチュエータ）
７００  突当てブロック（振動部材）                                                               
【図１】
0003162291.tif 000003
【図２】
0003162291.tif 000004
【図３Ａ】
0003162291.tif 000005
【図３Ｂ】
0003162291.tif 000006
【図３Ｃ】
0003162291.tif 000007
【図４】
0003162291.tif 000008
【図５】
0003162291.tif 000009
【図６】
0003162291.tif 000010